(57)【要約】【課題】贈り主が受取人のことを考えて商品を厳選しコメント等も添えた、それ自体が思い出の品となるようなオリジナルのギフトブックを作成するのを支援するギフトブック作成支援サーバ装置及びギフトブック作成支援システムを提供する。【解決手段】ギフトブック作成支援サーバ装置は、電子端末１及びギフトブック作成システムと通信する通信部１３と、電子端末１で選択されたギフトブック掲載用の商品に係る画像データ及び当該商品に係るコメントデータを保持するユーザＤＢ１６と、ユーザＤＢ１６の画像データ及びコメントデータを参照して、ギフトブックデータを生成するギフトブックデータ生成部１０ｂと、ギフトブックデータをギフトブック作成システムに伝達する伝達部１０ｃとを備え、電子端末１で所定の画面を表示させ、ギフトブック掲載用商品に係る画像データの選択及び当該商品に係るコメントデータの入力を促す。【選択図】図２
2016149116.tif 000002
【特許請求の範囲】
【請求項１】
少なくとも電子端末及びギフトブック作成システムと通信する通信手段と、
上記電子端末で選択されたギフトブック掲載用の商品に係る画像データ及び当該商品に係るコメントデータを少なくとも保持するユーザ記憶手段と、
上記ユーザ記憶手段の画像データ及びコメントデータを参照して、ギフトブックデータを生成する生成手段と、
上記ギフトブックデータを上記ギフトブック作成システムに伝達する伝達手段と、
を備え、
上記電子端末で所定の画面を表示させ、ギフトブック掲載用商品に係る画像データの選択、及び当該商品に係るコメントデータの入力を促すこと
を特徴とするギフトブック作成支援サーバ装置。
【請求項２】
リンク先情報を保持するリンク先情報記憶手段を更に備え、
上記生成手段は、上記コメントデータが所定文字数を超える場合には、所定文字数を超える文字に係るデータにリンクさせるためのリンク情報を生成し、上記リンク先情報として所定文字数を超える文字に係るデータを上記リンク先情報記憶手段に保持させる
請求項１に記載のギフトブック作成支援サーバ装置。
【請求項３】
リンク先情報を保持するリンク先情報記憶手段を更に備え、
上記生成手段は、上記コメントデータと共に、あるいは上記コメントデータに代えて、動画データをギフトブックデータに含めるときには、上記リンク先情報として上記動画データを上記リンク先情報記憶手段に保持させる
請求項１に記載のギフトブック作成支援サーバ装置。
【請求項４】
上記生成手段は、上記リンク情報に係る２次元コードを生成し、当該２次元コードを上記ギフトブックデータに含める
請求項２又は請求項３のいずれかに記載のギフトブック作成支援サーバ装置。
【請求項５】
著作権の使用許諾に係る確認を行う著作権確認部を更に有し、
上記商品に係る画像データとして、ユーザが任意に選択した画像データを掲載する場合には、当該画像データの著作権者に対して、掲載に係る許諾の確認のための電子メールを送信する
請求項１乃至請求項４のいずれか１項に記載のギフトブック作成支援サーバ装置。
【請求項６】
少なくともブラウザ機能を備えた電子端末と、ギフトブック作成支援サーバ装置とからなるギフトブック作成支援システムであって、
上記ギフトブック作成支援サーバ装置は、
少なくとも電子端末及びギフトブック作成システムと通信する通信手段と、
上記電子端末で選択されたギフトブック掲載用の商品に係る画像データ及び当該商品に係るコメントデータを少なくとも保持するユーザ記憶手段と、
上記ユーザ記憶手段の画像データ及びコメントデータを参照して、ギフトブックデータを生成する生成手段と、
上記ギフトブックデータを上記ギフトブック作成システムに伝達する伝達手段と、
を備え、
上記電子端末では、上記ブラウザ機能により所定の画面を表示し、上記ギフトブック掲載用商品に係る画像データの選択、及び当該商品に係るコメントデータの入力を受け付けること
を特徴とするギフトブック作成支援システム。
【請求項７】
少なくともブラウザ機能を備えた電子端末と、ギフトブック作成支援サーバ装置とからなるギフトブック作成支援システムによるギフトブック作成支援方法であって、
上記ギフトブック作成支援サーバ装置が、
少なくとも電子端末及びギフトブック作成システムと通信するステップと、
上記電子端末で選択されたギフトブック掲載用の商品に係る画像データ及び当該商品に係るコメントデータを少なくとも保持するステップと、
上記画像データ及びコメントデータを参照して、ギフトブックデータを生成するステップと、
上記ギフトブックデータを上記ギフトブック作成システムに伝達するステップと、
リンク先情報を保持するステップと、
著作権の使用許諾に係る確認を行うステップと、を有し、
上記サーバ装置が、
上記コメントデータが所定文字数を超える場合には、所定文字数を超える文字に係るデータにリンクさせるためのリンク情報を生成し、上記リンク先情報として所定文字数を超える文字に係るデータを上記リンク先情報記憶手段に保持させ、上記コメントデータと共に、あるいは上記コメントデータに代えて、動画データをギフトブックデータに含めるときには、上記リンク先情報として上記動画データを保持させ、上記リンク情報に係る２次元コードを生成し、当該２次元コードを上記ギフトブックデータに含め、上記商品に係る画像データとして、ユーザが任意に選択した画像データを掲載する場合には、当該画像データの著作権者に対して、掲載に係る許諾の確認のための電子メールを送信し、
上記電子端末が、
上記ブラウザ機能により所定の画面を表示し、上記ギフトブック掲載用商品に係る画像データの選択、及び当該商品に係るコメントデータの入力、上記動画データのアップロードを受け付ける
ギフトブック作成支援方法。
【発明の詳細な説明】
【技術分野】
【０００１】
この発明は、ギフトの贈り主が選択した商品の写真に推薦文やアドバイス等のコメントを添えたオリジナルのギフトブックの作成を支援するギフトブック作成支援サーバ装置、ギフトブック作成支援システム、及びギフトブック作成支援方法に関する。
【背景技術】
【０００２】
従来、商品を写真と共に紹介し、受取人が所望とする商品を選択して、付属のはがきなどで申込みをすることで、当該商品をギフトとして郵送により受け取ることができるギフトブックがある。今日では、ネットワークを介してギフトの受注を行う技術も提案されている（例えば、特許文献１参照）。
【先行技術文献】
【特許文献】
【０００３】
【特許文献１】特開２００２−２４５３４８号公報
【発明の概要】
【発明が解決しようとする課題】
【０００４】
しかしながら、従来のギフトブックは画一的なものである。贈り主が受取人のことを考えてセレクトした商品写真を掲載し、当該商品の推薦文やアドバイス等のコメントを添えたオリジナルのギフトブックを簡易に作成できるように支援するシステムはない。
【０００５】
本発明は、かかる課題に鑑みてなされたものであり、贈り主が受取人のことを考えて商品を厳選しコメント等も添えた、それ自体が思い出の品となるようなオリジナルのギフトブックを作成するのを支援するギフトブック作成支援サーバ装置、ギフトブック作成支援システム、及びギフトブック作成支援方法を提供することを目的とする。
【課題を解決するための手段】
【０００６】
上記課題を解決するために、本発明の第１の態様に係るギフトブック作成支援サーバ装置は、少なくとも電子端末及びギフトブック作成システムと通信する通信手段と、上記電子端末で選択されたギフトブック掲載用の商品に係る画像データ及び当該商品に係るコメントデータを少なくとも保持するユーザ記憶手段と、上記ユーザ記憶手段の画像データ及びコメントデータを参照して、ギフトブックデータを生成する生成手段と、上記ギフトブックデータを上記ギフトブック作成システムに伝達する伝達手段とを備え、上記電子端末で所定の画面を表示させ、ギフトブック掲載用商品に係る画像データの選択、及び当該商品に係るコメントデータの入力を促すことを特徴とする。
【０００７】
また、本発明の第２の態様に係るギフトブック作成支援システムは、少なくともブラウザ機能を備えた電子端末と、ギフトブック作成支援サーバ装置と、からなるギフトブック作成支援システムであって、上記ギフトブック作成支援サーバ装置は、少なくとも電子端末及びギフトブック作成システムと通信する通信手段と、上記電子端末で選択されたギフトブック掲載用の商品に係る画像データ及び当該商品に係るコメントデータを少なくとも保持するユーザ記憶手段と、上記ユーザ記憶手段の画像データ及びコメントデータを参照して、ギフトブックデータを生成する生成手段と、上記ギフトブックデータを上記ギフトブック作成システムに伝達する伝達手段と、を備え、上記電子端末では、上記ブラウザ機能により所定の画面を表示し、上記ギフトブック掲載用商品に係る画像データの選択、及び当該商品に係るコメントデータの入力を受け付けることを特徴とする。
【０００８】
そして、本発明の第３の態様に係るギフトブック作成支援方法は、少なくともブラウザ機能を備えた電子端末と、ギフトブック作成支援サーバ装置とからなるギフトブック作成支援システムによるギフトブック作成支援方法であって、上記ギフトブック作成支援サーバ装置が、少なくとも電子端末及びギフトブック作成システムと通信するステップと、上記電子端末で選択されたギフトブック掲載用の商品に係る画像データ及び当該商品に係るコメントデータを少なくとも保持するステップと、上記画像データ及びコメントデータを参照して、ギフトブックデータを生成するステップと、上記ギフトブックデータを上記ギフトブック作成システムに伝達するステップと、リンク先情報を保持するステップと、著作権の使用許諾に係る確認を行うステップと、を有し、上記サーバ装置が、上記コメントデータが所定文字数を超える場合には、所定文字数を超える文字に係るデータにリンクさせるためのリンク情報を生成し、上記リンク先情報として所定文字数を超える文字に係るデータを上記リンク先情報記憶手段に保持させ、上記コメントデータと共に、あるいは上記コメントデータに代えて、動画データをギフトブックデータに含めるときには、上記リンク先情報として上記動画データを保持させ、上記リンク情報に係る２次元コードを生成し、当該２次元コードを上記ギフトブックデータに含め、上記商品に係る画像データとして、ユーザが任意に選択した画像データを掲載する場合には、当該画像データの著作権者に対して、掲載に係る許諾の確認のための電子メールを送信し、上記電子端末が、上記ブラウザ機能により所定の画面を表示し、上記ギフトブック掲載用商品に係る画像データの選択、及び当該商品に係るコメントデータの入力、上記動画データのアップロードを受け付けることを特徴としている。
【発明の効果】
【０００９】
本発明のギフトブック作成支援サーバ装置、ギフトブック作成支援システム、及びギフトブック作成支援方法によれば、贈り主が受取人のことを考えて商品を厳選しコメント等も添えた、それ自体が思い出の品となるようなオリジナルのギフトブックを作成するのを支援することができる。
【図面の簡単な説明】
【００１０】
【図１】本発明の第１実施形態に係るギフトブック作成支援システム、及びその周辺機器の構成を示す図である。
【図２】サーバ装置の詳細な構成を示す図である。
【図３】贈り主端末、及び受け取り主端末の詳細な構成を示す図である。
【図４】本発明の第１実施形態に係るギフトブック作成支援システムによる処理手順を示すフローチャートである。
【図５】（ａ）乃至（ｄ）は、画面構成例を示す図である。
【図６】本発明の第２実施形態に係るギフトブック作成支援システムにおけるサーバ装置の詳細な構成を示す図である。
【図７】本発明の第２実施形態に係るギフトブック作成支援システムによりサービスの流れを示す概念図である。
【図８】本発明の第２実施形態に係るギフトブック作成支援システムによる処理手順を示すフローチャートである。
【図９】ギフトブックのコード読み取り動作を示す図である。
【図１０】サーバ装置によるリンク先情報の処理を説明するフローチャートである。
【発明を実施するための形態】
【００１１】
以下、図面を参照しつつ本発明の実施形態について説明する。
【００１２】
＜第１実施形態＞
【００１３】
図１には本発明の第１実施形態に係るギフトブック作成支援システム、及びその周辺機器の構成を示し説明する。
【００１４】
この図１に示されるように、ギフトブック作成支援サーバ装置１、贈り主端末２ａ，２ｂ（以下、総称するときは符号２を用いる）、ギフトブック作成システムとしてのギフトブック印刷サービスシステム３、受取人端末４ａ，４ｂ（以下、総称するときは符号４を用いる）、商品提供サービスサーバ装置５は、インターネット等のネットワーク６を介して通信自在に接続されている。
【００１５】
ギフトブック作成支援システムは、これらのうち、例えばギフトブック作成支援サーバ装置１と贈り主端末２とからなる。但し、これには限定されない。
【００１６】
贈り主端末２とは、ギフトの贈り主が操作する電子端末であり、パーソナルコンピュータ（以下、ＰＣと略記）、スマートフォンやタブレット端末、携帯電話機、ノートパソコン等が含まれる。ギフトブック作成支援サーバ装置１とは、贈り主端末２に対して、ギフトブックに掲載する商品の画像の選択や当該商品の推薦文やコメント等の入力等を促し、ギフトブックデータを生成して、ギフトブック印刷サービスシステム３に対してギフトブックのデータを伝達するものである。
【００１７】
ギフトブック印刷サービスシステム３とは、ギフトブック作成支援サーバ装置１からのギフトブックデータを受信し、当該データに基づいてギフトブックを印刷するものであって、ギフトブックデータの編集、及び発送等に伴う決済機能を有してもよい。また、受取人端末４とは、ギフトの受取人の操作する電子端末であって、贈り主端末２と同様に、ＰＣ、スマートフォンやタブレット端末、携帯電話機、ノートパソコン等が含まれる。受取人端末４を操作することで、詳細は後述する御礼コメントをギフトブック作成支援サーバ装置１に送信することができる。商品提供サービスサーバ装置５は、購入可能な商品の情報を提供するサーバ装置であり、決済機能も有している。
【００１８】
図２にはギフトブック作成支援サーバ装置１の詳細な構成を示し説明する。
【００１９】
この図２に示されるように、このギフトブック作成支援サーバ装置１は、全体の制御を司る制御部１０、記憶部１２、通信手段としての通信部１３、ギフトブックデータベース（以下、ＤＢと略記する）１４、商品ＤＢ１５、ユーザ記憶手段としてのユーザＤＢ１６を備えている。制御部１０は、記憶部１２に格納されている制御プログラム１１を読み出し実行することで、少なくとも、主制御部１０ａ，生成手段としてのギフトブックデータ生成部１０ｂ、伝達手段としての伝達部１０ｃ、ユーザ管理部１０ｄとして機能する。
【００２０】
このような構成において、主制御部１０ａは、贈り主端末２からの要求に応じて商品ＤＢ１５より該当する商品データを読み出し、通信部１３を介して送信する。この商品ＤＢ１５には、複数商品の画像データや当該商品を扱う販売先のＵＲＬ等のデータが商品ファイル１５ａとして複数格納されている。
【００２１】
ギフトブックデータ生成部１０ｂは、贈り主端末２にて選択された商品の画像データや入力された推薦文やアドバイス等のコメントのデータに基づいて、ギフトブックデータを生成する。こうして生成されたギフトブックデータは、ギフトブックＤＢ１４にギフトブックデータファイル１４ａとして格納される。ギフトブックデータファイル１４ａは、ギフトブック別に複数格納されている。
【００２２】
伝達部１０ｃは、贈り主端末２からの指示に基づいて、該当するギフトブックデータファイル１４ａをギフトブックＤＢ１４より読み出し、当該ファイル１４ａに基づくギフトブックの作成を、ギフトブック印刷サービスシステム３にリクエストする。
【００２３】
ユーザＤＢ１６には、ユーザごとのマイページ等のデータを保持している。そして、ユーザ管理部１０ｄは、このユーザＤＢ１６のユーザファイル１６ａの更新などの管理を司っている。例えば受取人から御礼コメント等が送られてきたときには、ユーザ管理部１０ｄが当該コメントを該当ユーザのユーザファイル１６ａに追加する。このユーザファイル１６ａは、ユーザごとに複数格納されている。
【００２４】
図３には、贈り主端末２、及び受取人端末４の構成例を示し説明する。
【００２５】
この図３に示されるように、端末２及び４は、全体の制御を司る制御部２０、記憶部２１、通信部２２、表示部２３、操作部２４を備えている。そして、制御部２０は、記憶部２１に格納されている制御プログラムを読み出し実行することで、主制御部２０ａ、ブラウザ部２０ｂ、表示制御部２０ｃとして機能する。
【００２６】
このような構成において、ブラウザ部２０ｂにより、ギフトブック作成のための商品選択ならびにコメント入力用の画面が表示部２３により表示され、操作部２４の操作により画像の選択、コメント等の入力がなされる。この選択、あるいは入力されたデータは、主制御部２０ａの制御の下、通信部２２を介してギフトブック作成支援サーバ装置１へと送信される。表示制御部２０ｃは、表示部２３での各種表示を制御する。
【００２７】
以下、図４のフローチャートを参照して、本発明の第１実施形態に係るギフトブック作成支援システムによる処理手順を詳細に説明する。以下の説明では、図５の画面遷移図を適宜参照しながら説明を進める。これは、ギフトブック作成支援方法にも該当する。
【００２８】
贈り主端末２は、ギフトブック作成支援サーバ装置１にアクセスすると、商品一覧画面３０をブラウザ部２０ｂにより表示部２３に表示する（Ｓ１）。この商品一覧画面３０の一例は図５（ａ）に示される。商品一覧画面３０の領域３１には、商品を紹介する画像が掲載されており、当該領域３１の近傍の領域３２には画像に対して付されたタイトルが参考までに表示される。例えば、画像がチョコレートに関するものであれば、タイトルは「大好きなあなたへ」のようなタイトルが表示される。商品一覧画面３０には、このような画像とタイトルの組み合わせが複数掲載され、各商品について詳細を見たいときには、詳細ボタン３３をクリックすれば、商品詳細画面３４へと移行するようになっている。
【００２９】
贈り主端末２では、商品一覧画面３０において、贈り主が所望とする商品について詳細ボタン３３がクリックされ、商品が選択されると（Ｓ２をＹＥＳ）、商品詳細画面をギフトブック作成支援サーバ装置１に要求（リクエスト）する（Ｓ３）。ギフトブック作成支援サーバ装置１は、この要求を受信すると（Ｓ４）、商品詳細画面のデータを贈り主端末２に送信する（Ｓ５）。贈り主端末２は、ブラウザ部２０ｂが、このデータに基づき商品詳細画面３４を表示部２３に表示する（Ｓ６）。この商品詳細画面３４の一例は図５（ｂ）に示される。商品詳細画面３４の領域３５には選択された画像が大きく表示される。領域３５の下の領域３６にはタイトルが表示され、その横にはお気に入りボタン３７が設けられる。更に領域３６の下の領域３８には、参考となるコメントが表示される。この領域３８のコメントは、先に当該商品を購入した人やギフトとして受け取った人からの感想やおすすめ文などが記載されているので、商品選択に際して参考となる。
【００３０】
贈り主端末２は、商品詳細画面３４において、お気に入りボタン３７がクリックされると（Ｓ７をＹＥＳ）、マイページ画面を、ギフトブック作成支援サーバ装置１に要求（リクエスト）する（Ｓ８）。ギフトブック作成支援サーバ装置１は、この要求を受信すると（Ｓ９）、マイページ画面のデータを贈り主端末２に送信する（Ｓ１０）。贈り主端末２ではブラウザ部２０ｂが、このデータに基づきマイページ画面３９を表示部２３に表示する（Ｓ１１）。
【００３１】
このマイページ画面３９の一例は図５（ｃ）に示される。マイページ画面３９では、お気に入り一覧が確認可能で、商品ごとに設けられた領域４０の内部において、領域４１には商品の画像が表示され、領域４２には贈り主が当該商品に関する推薦文やアドバイス等を自由に書き込むことができる。このほか、当該商品をギフトブックに掲載希望する場合に選択するためのチェックボックス４４や、お気に入り一覧から当該商品の領域４０を削除することを希望する場合にクリックする削除ボタン４３が設けられている。このような領域４０が商品ごとに贈り主によりお気に入りに登録された分だけ列挙され、画面３９の最下段には、ギフトブック自体のタイトルを入力するための領域４５が設けられ、その下には確認ボタン４６が設けられている。
【００３２】
贈り主端末２では、主制御部２０ａが、領域４２へのコメント入力、チェックボックス４４による掲載商品の選択、領域４５へのギフトブック自体のタイトルの入力等を受け付け、ギフトブックの編集を行う（Ｓ１２）。確認ボタン４６がクリックされると、確認ページの画面４７がブラウザ部２０ｂにより表示部２３に表示される。この画面４７では、ギフトブックへの掲載用として選択された商品の画像と入力されたコメントが領域４８に列挙され、その下の領域４９には入力されたギフトブックのタイトルが表示される。
【００３３】
贈り主端末２では、確認ページの画面４７で作成依頼ボタン５０がクリックされると（Ｓ１３をＹＥＳ）、主制御部２０ａがギフトブック作成支援サーバ装置１にギフトブックの作成要求（リクエスト）を行う（Ｓ１４）。ギフトブック作成支援サーバ装置１では、この要求を受信すると（Ｓ１５）、ギフトブックデータ生成部１０ｂが商品ＤＢ１５やユーザＤＢ１６を参照してギフトブックデータの生成を行い、当該ギフトブックデータをファイル化してギフトブックＤＢ１４に格納する。そして、伝達部１０ｃが、ギフトブック印刷サービスシステム３に対してギフトブックデータファイル１４ａを送信する（Ｓ１６）。ここでは不図示であるが、ギフトブック印刷サービスシステム３側でギフトブックの印刷がなされ、受取人へと郵送される。
【００３４】
なお、ギフトブックデータファイル１４ａに商品を提供する商品提供サービスサーバ装置５の開設するＷｅｂサイトのＵＲＬも含めることができ、その場合にはギフトブックの印刷時に、当該ＵＲＬに対応するＱＲコード（登録商標）等のリンク情報を示す画像が合わせて印刷されてよい。ギフトの購入者が贈り主となっている場合には、価格に関する情報やＱＲコード（登録商標）等の商品を購入するページへのリンク情報を掲載せず、ギフトの購入者が受取人となっている場合には、ＱＲコード（登録商標）を掲載すると共に当該Ｗｅｂサイトで使用可能な金券（ギフトコードなど）を合わせて郵送するなど、自由な運用が可能である。
【００３５】
ギフトブックの郵送から時間経過を経て、ギフトブックを受け取った受取人の受取人端末４からお礼コメントが送信されると（Ｓ２１）、ギフトブック作成支援サーバ装置１が当該コメントを受信し（Ｓ２２）、該当する贈り主であるユーザのユーザＤＢ１６のユーザファイル１６ａに当該コメントを追加し、ファイルを更新する（Ｓ２３）。これにより、贈り主端末２では、贈り主がマイページにアクセスすることで、当該お礼のコメントを閲覧可能となる（Ｓ２４）。以上で一連の処理を終了する。
【００３６】
なお、ギフトブックに掲載される商品は、同じ金額の商品である必要はない。
【００３７】
以上説明したように、本発明の第１実施形態に係るギフトブック作成支援サーバ装置等によれば、贈り主が、既に購入・体験済の他ユーザの紹介文やコメント等を参照しながら受取人の嗜好や状況に好適な商品をギフト用商品として自由に選択することができ、マイページで受取人に対する当該商品に係る推薦文やアドバイス等のコメントを自由に入力することができ、ギフトブック自体のタイトルも自由に入力できる。ゆえに、受取人ごとにオリジナルのギフトブックを簡易な操作で作成できるようになる。
【００３８】
つまり、ギフトブックに掲載する商品を自分で選んで、デザインまでできるカタログギフトを実現することができる。おすすめの商品には、贈り主の思いを込めたメッセージを添えるので、ギフトブック自体も思い出深い商品となる。
【００３９】
また、受取人からのお礼コメントもギフトブック作成支援サーバ装置側で贈り主のマイページに追加更新するので、贈り主はお礼コメントをいつでも参照でき、次の贈答の際の参考とすることができる。
【００４０】
＜第２実施形態＞
【００４１】
本発明の第２実施形態に係るギフトブック作成支援システム、及びその周辺機器の構成は、先に図１に示した構成と略同様であるが、ギフトブック作成支援サーバ装置１の構成が異なる。
【００４２】
図６にはギフトブック作成支援サーバ装置７の詳細な構成を示し説明する。尚、先に示した図２と同一の構成には、同一の符号を付している。
【００４３】
この図６に示されるように、このギフトブック作成支援サーバ装置７は、全体の制御を司る制御部１０、記憶部１２、通信手段としての通信部１３、ギフトブックＤＢ１４、商品ＤＢ１５、ユーザ記憶手段としてのユーザＤＢ１６、リンク先情報ＤＢ５１を備えている。そして、制御部１０は、記憶部１２に格納されている制御プログラム５０を読み出し実行することで、少なくとも、主制御部５０ａ，生成手段としてのギフトブックデータ生成部５０ｂ、伝達手段としての伝達部５０ｃ、ユーザ管理部５０ｄ、リンク情報処理部５０ｅ、及びランキング算定部５０ｆとして機能する。より詳細には、ギフトブックデータ生成部５０ｂは、ギフトブック編集部５０ｇ、リンク情報生成部５０ｈ、及び著作権確認部５０ｉを有している。
【００４４】
このような構成において、主制御部５０ａは、贈り主端末２からの要求に応じて商品ＤＢ１５より該当する商品データを読み出し、通信部１３を介して送信する。この商品ＤＢ１５には、複数商品の画像データや当該商品を扱う販売先のＵＲＬ等のデータが商品ファイル１５ａとして複数格納されている。
【００４５】
ギフトブックデータ生成部５０ｂは、贈り主端末２にて選択された商品の画像データや入力された推薦文やアドバイス等のコメントのデータに基づいて、ギフトブックデータを生成する。
【００４６】
より詳細には、ギフトブック編集部５０ｇは、選択された商品の画像やコメント、リンク情報（二次元コード等）に基づいてギフトブックを編集する。例えば、任意の言葉を入力すると、その文字を頭文字とした商品を自動的に抽出し、ギフトブック掲載商品として選定することもできる。例えば、以下の通りである。
「お」：おむつ
「め」：綿棒セット
「で」：電球
「と」：鳥のおもちゃ
「う」：うさぎのぬいぐるみ
この場合でも、気に入らないものは、頭文字が同じ他の選択枝に変更できる。
【００４７】
リンク情報生成部５０ｈは、コメントが所定文字数を超える場合に、越える分の文字列へのリンク先、動画によりコメントがなされている場合には動画へのリンク先、及び商品サイトへのリンク先等に紐づけたリンク情報をＱＲコード（登録商標）等の二次元コードとして生成する。これによれば、長いコメントを入力した場合、所定文字数を超える分については続きをＷｅｂで閲覧できるようになる。また、コメントをギフトブックの印刷後に補完することもできるようになる。例えば、複数人でコメントを添えるような場合に、全員のコメントが印刷までに間に合わなかった場合でも後から補完できる。
【００４８】
著作権確認部５０ｉは、商品画像としてユーザが自ら収集した画像が用いられている場合に、動画のアップロード画面にて選択された画像種別の情報に基づいて（例えば、著作権確認のチェックボックスにチェック有、メールアドレス入力）、著作権者への確認メールを自動的に送信する。
【００４９】
こうして生成されたギフトブックデータは、ギフトブックＤＢ１４にギフトブックデータファイル１４ａとして格納される。ギフトブックデータファイル１４ａは、ギフトブック別に複数格納されている。リンク先情報については、リンク先情報ＤＢ５１に、リンク先データファイル５１ａとして格納される。リンク先データファイル５１ａは、ギフトブックＩＤと紐づけられた動画データやコメントデータを有している。
【００５０】
伝達部５０ｃは、贈り主端末２からの指示に基づいて、該当するギフトブックデータファイル１４ａをギフトブックＤＢ１４より読み出し、当該ファイル１４ａに基づくギフトブックの作成を、ギフトブック印刷サービスシステム３にリクエストする。伝達部５０ｃは、ギフトブックデータファイル１４ａをＰＤＦ等の形式で受取人に電子メールの添付等で送信することも可能である。
【００５１】
ユーザＤＢ１６には、ユーザごとのマイページ等のデータを保持している。そして、ユーザ管理部５０ｄは、このユーザＤＢ１６のユーザファイル１６ａの更新などの管理を司っている。例えば受取人から御礼コメント等が送られてきたときには、ユーザ管理部５０ｄが当該コメントを該当ユーザのユーザファイル１６ａに追加する。このユーザファイル１６ａは、ユーザごとに複数格納されている。
【００５２】
リンク情報処理部５０ｅは、受取人端末４によりギフトブックの二次元コード（例えばＱＲコード（登録商標））が撮像され、リンク先にアクセスしてきたときに、当該リンク情報に紐づけられた動画データやコメント詳細データをリンク先情報ＤＢ５１のリンク先データファイル５１ａより読み出し、受取人端末４に送信する。これに加えて、リンク情報処理部５０ｅは、リンク情報に紐づけられた外部のＷｅｂサイト（例えば、商品サイト、動画サイト）へと受取人端末４をリンクさせることもできる。
【００５３】
ランキング算定部５０ｆは、ユーザによりギフトブックデータ生成にあたり採用された商品をその採用数でランキングしたり、受取人端末４からのお礼コメントの数により商品をランキングしたりする。
【００５４】
以下、図７を参照して、第２実施形態に係るギフトブック作成支援システム、及びその周辺機器による処理手順の全体像を説明する。
【００５５】
贈り主は、ギフトブックデータを生成するときは、贈り主端末２によりギフトブック作成支援サーバ装置１の提供するサービスサイトにアクセスし、ギフトブック生成部５０によるギフトブック生成機能によりギフトブックデータを生成する（＃１）。そして、発注が選択指示されると、伝達部５０ｃによる決済によりギフトブック印刷サービス会社に対してギフトブック作成の発注を行う（＃２）。ギフトブック印刷サービス会社は、発注を受けると、ギフトブックの印刷及び発送を受取人に対して実施する。この発送と共に印刷データをギフトブック作成支援サーバ装置１に送信する（＃３）。印刷データは、ギフトブック印刷データとしてギフトブックＤＢ１４に格納される。
【００５６】
また、贈り主は、履歴やコメント等を閲覧するときには、サービスサイトが提供するマイページを贈り主端末２にて表示部２３に表示する（＃４）。マイページでは、ギフトブックを閲覧し、受取人からのお礼コメントを閲覧することができる。閲覧のときには、主制御部５０ａは、ギフトブックＤＢ１４のギフトブックデータを参照し、ユーザＤＢ１６のお礼に係るコメントデータを参照する。
【００５７】
また、贈り主は、商品の検索・閲覧を行うときは、商品一覧ページ（検索ページ）を贈り主端末２の表示部２３に表示する（＃５）。そして、商品を選択し、詳細を閲覧するときは、サービスサイトが提供する商品詳細ページを贈り主端末２の表示部２３に表示する（＃６）。この商品詳細ページを表示するときに、サービスサイトからリンク先の外部の商品提供サイトに移行してもよい。
【００５８】
一方、受取人は、ギフトブックを受け取り、贈り主に対してお礼コメントを送るときにはギフトブックに付されている二次元コードを端末のカメラ等で撮像し、所定のリンク先に移行する。これにより、受取人端末４では、表示部２３にお礼コメント入力ページが表示され、当該ページにてお礼コメントの入力が可能となる（＃７）。お礼コメントは、ビデオメッセージとすることもできる。その場合には、動画を選択してアップロードする。お礼コメントは、ユーザＤＢ１６に贈り主のマイページと紐づけて格納されるか、商品ＤＢ１５の商品情報と紐づけて格納される。
【００５９】
受取人は、ギフトブックを受け取り、商品の決済（注文）を行うときは、先ずコメント詳細ページを閲覧する（＃８）。そして、コメント詳細を確認した後、商品詳細ページに移行し、商品の詳細を確認する。その商品の注文を決定すると、リンク先の外部の商品提供サイトに移行し、商品購入ページを閲覧する（＃９）。そして、購入を指示すると、決済部が商品の発送を受取人に対して行う（＃１０）。あるいは、受取人は、ギフトブックの二次元コードを撮像することで、外部の商品提供サイトに直接移行し、決済を行うこともできるようになっている。
【００６０】
次に図８のフローチャートを参照して、第２実施形態に係るギフトブック作成支援システムによるギフトブックデータ生成に係る処理手順を詳細に説明する。
【００６１】
ギフトブックデータ生成の処理を開始すると、贈り主端末２は、ギフトブック新規作成画面を表示部２３に表示する（Ｓ３１）。そして、操作部２４を操作して各種情報の入力等を行うことでギフトブック情報の編集を行い（Ｓ３２）、ギフトブック情報の保存要求をサーバ装置１に対して行う（Ｓ３３）。
【００６２】
続いて、贈り主端末２では、主制御部２０ａが、タイトル入力済であるか否かを判断し（Ｓ３４）、入力済でなければステップＳ３２に戻り上記処理を繰り返し、入力済であれば表紙画像選択済であるか判断する（Ｓ３５）。主制御部２０ａは、表紙画像選択済であればそのままステップＳ３７に移行し、表紙画像選択済でなければ、サーバ装置１側で初期設定画面の割当てを行い（Ｓ３６）、ステップＳ３７に移行する。例えば、初期設定画像の割当てでは、サイトロゴを表示画像に設定してもよい。
【００６３】
次いで、贈り主端末２では、主制御部２０ａが、各商品へのコメントがあるか否かを判断し（Ｓ３７）、コメントがあればそのままステップＳ３９に移行し、コメントがなければサーバ装置１側でコメント欄に記事のタイトルを設定し（Ｓ３８）、ステップＳ３７に移行する。続いて、贈り主端末２では、主制御部２０ａが、商品へのコメントが１つか否かを判断し（Ｓ３９）、コメントが１つであればそのままステップＳ４１に移行し、コメントが１つでなければサーバ装置１側で最後の入力コメントのみ表示し（Ｓ４０）、ステップＳ４１に移行する。
【００６４】
続いて、贈り主端末２では、主制御部２０ａが、各商品へのコメントの文字数が規定数内であるか否かを判断し（Ｓ４１）、コメントの文字数が規定数内であれば、そのままステップＳ４３に移行し、コメントの文字数が規定数内でなければ、サーバ装置１側でレイアウト崩れを防ぐために、規定文字数のみ表示し、「続きはこちら」（リンク情報）を追加し（Ｓ４２）、ステップＳ４３に移行する。尚、このようにリンク情報を追加することで、複数人でコメントを入力する場合、印刷までに全員のコメントが揃わなかった場合でも、全員分のコメントをＷｅｂ上で確認できるようになる。
【００６５】
次いで、贈り主端末２では、主制御部２０ａが、動画コメントが追加されているか否かを判断し（Ｓ４３）、動画コメントが追加されていなければ、そのままステップＳ４５に移行し、動画コメントが追加されていれば、掲載するリンク情報を動画再生ページに変更し（Ｓ４４）、ステップＳ４５に移行する。尚、動画再生後は、商品詳細ページへ自動的に遷移、もしくは商品詳細ページへのリンク情報を表示するようにしている。
【００６６】
続いて、贈り主端末２では、主制御部２０ａが、商品画像をユーザが変更しているか否かを判断し（Ｓ４５）、商品画像を変更していなければ、ギフトブック情報を保存し（Ｓ４６）、ステップＳ４９に移行する。商品画像を変更している場合には、著作権連絡先の入力済か否かを判断し（Ｓ４７）、著作権者連絡先が入力済でない場合、上記ステップＳ３２に戻り、上記処理を繰り返し、著作権者連絡先が入力済である場合、サーバ装置１では、著作権確認部５０ｉが、著作権者連絡先へ利用許諾メールを送信し（Ｓ４８）、ギフトブック情報をギフトブックＤＢ１４に保存し（Ｓ４６）、ステップＳ４９に移行する。
【００６７】
このように商品画像が変更されている場合、著作権侵害を未然防止するために、著作権者の連絡先（メールアドレス）を入力させ、予め用意した利用許諾メールを著作権確認部５０ｉが送信し、許諾を得るようにしている。送信するメールは、ＨＴＭＬメールとすれば、メール内の許諾リンクにアクセスされることで、印刷を開始する処理手順とすることもできる。あるいは、一定期間、開封されない場合、もしくはメール内に記載された否認リンクにアクセスされた場合、印刷を中止する処理手順としてもよい。
【００６８】
こうして、贈り主端末２では、主制御部２０ａが、ギフトブックのプレビュー画面へのリンクを有効化し（Ｓ４９）、プレビュー表示要求を行い（Ｓ５０）、ギフトブックデータ生成に関わる一連の処理を終了する。
【００６９】
図９には、受取人端末によりギフトブックの２次元コードを読み取り、リンク先につながる様子を示している。同図に示されるように、ギフトブック６０には、商品画像６０ａとコメント６０ｂ、２次元コード６０ｃが商品ごとに印刷されている。受取人端末４のカメラにより２次元コード６０ｃを撮像すると、２次元コードが解読され、リンク情報により示されるリンク先に接続される。そして、前述したようなお礼コメントの入力、コメント詳細閲覧、商品の決済等が可能となる。
【００７０】
以下、図１０のフローチャートを参照して、サーバ装置によるリンク情報の処理を詳細に説明する。
【００７１】
先ず、受取人端末４において、二次元コード（例えばＱＲコード（登録商標））の読み取りがなされると、リンク先であるサーバ装置１が提供するサービスサイトへと移行する（Ｓ６１）。サーバ装置１では、リンク情報処理部５０ｅがリンク情報の判定を行う（Ｓ６２）。リンク先が詳細コメントでなければ（Ｓ６２をＮｏ）、ステップＳ６５に進む。一方、リンク先が詳細コメントであれば（Ｓ６３をＹｅｓ）、リンク情報処理部５０ｅは、リンク先情報ＤＢ５１から詳細コメントデータを読み出し、受取人端末４に送信する（Ｓ６４）。受取人端末４では、詳細コメントを表示する（Ｓ６５）。動画がリンク先とされている場合、詳細コメントに代えて、動画再生ページにつないで動画を再生してもよい。
【００７２】
続いて、リンク先が詳細ページでなければ（Ｓ６６をＮｏ）、ステップＳ６６に進む。一方、リンク先が詳細ページであれば（Ｓ６６をＹｅｓ）、サーバ装置１のリンク情報処理部５０ｅは、リンク先情報ＤＢ５１から詳細ページデータを読み出し、受取人端末４に送信する（Ｓ６７）。受取人端末４では、詳細ページを表示する（Ｓ６８）。リンク先が商品提供サイトであれば、詳細ページデータに代えて、外部の商品提供サイトにつないで商品提供サイトの商品詳細ページを表示してもよい。
【００７３】
次いで、リンク先が商品決済ページでなければ（Ｓ６９をＮｏ）、ステップＳ７２に進む。一方、リンク先が商品決済ページであれば（Ｓ６９をＹｅｓ）、サーバ装置１のリンク情報処理部５０ｅは、リンク先情報ＤＢ５１から商品決済ページデータを読み出し、受取人端末４に送信する（Ｓ７０）。受取人端末４では、商品決済ページを表示し（Ｓ７１）、商品決済を行う（Ｓ７２）。商品決済ページに代えて、外部の商品提供サイトにつないで商品提供サイトの商品決済ページを表示してもよい。
【００７４】
続いて、リンク先がお礼コメント入力ページでなければ（Ｓ７３をＮｏ）、処理を終了する。一方、リンク先がお礼コメント入力ページであれば（Ｓ７３をＹｅｓ）、サーバ装置１のリンク情報処理部５０ｅは、リンク先情報ＤＢ５１からお礼コメント入力ページを読み出し、受取人端末４に送信する（Ｓ７４）。受取人端末４では、お礼コメント入力ページを表示し、お礼コメントの入力を受け付ける（Ｓ７５）。お礼コメントは、サーバ装置１側でユーザＤＢ１６にマイページと紐づけて登録される（Ｓ７６）。こうして、リンク情報処理に係る一連の処理を終了する。
【００７５】
このように、第２実施形態に係るギフトブック作成支援システムでは、受取人端末４では、商品閲覧前に動画（贈り主からのビデオメッセージ）を再生することができる。この場合には、二次元コード（ＱＲコード（登録商標）等）のリンク先と対応付けて動画データ（ビデオメッセージ）を保持しているので、リンク情報処理部５０ｅが当該動画データをリンク先情報ＤＢ５１から読み出し受取人端末４側に送ることになる。受取人端末４での動画の再生後には、商品詳細ページへ移行するようにしている。
【００７６】
また、受取人端末４では、お礼コメントも動画でサーバ装置１側に送ることができるようになっている。お礼コメントを送るページは、ギフトブック内の二次元コード（例えばＱＲコード（登録商標））から遷移するようになっており、そのページでお礼コメントに代わる動画データをアップロードすると、主制御部５０ａが、動画データを贈り主のマイページと紐づけてユーザＤＢ１６に保持するようになっている。これに加えて、贈られた商品と紐づけて商品ＤＢ１５に保持するようにしてもよい。このように、ギフトブックを贈った人のマイページと選んだ商品の詳細ページにお礼のコメント、あるいはお礼の動画データ（ビデオメッセージ）が蓄積されると、他のユーザへの参考にもなることから、公開することでその便益が高まることになる。
【００７７】
以上説明したように、第２実施形態によれば、リンク先情報を保持するリンク先情報記憶手段としてのリンク先情報ＤＢ５１を更に備え、生成手段としてのギフトブックデータ生成部５０ｂは、コメントデータが所定文字数を超える場合には、所定文字数を超える文字に係るデータにリンクさせるためのリンク情報を生成し、上記リンク先情報として所定文字数を超える文字に係るデータをリンク先情報ＤＢ５１に保持させる。従って、ギフトブック掲載のコメントを簡素にすることができるので、ギフトブック自体のデザイン性を高めることができる。
【００７８】
また、第２実施形態によれば、リンク先情報を保持するリンク先情報記憶手段としてのリンク先情報ＤＢ５１を更に備え、生成手段としてのギフトブックデータ生成部５０ｂは、コメントデータと共に、あるいは上記コメントデータに代えて、動画データをギフトブックデータに含めるときには、リンク先情報として動画データをリンク先情報記憶手段としてのリンク先情報ＤＢ５１に保持させる。従って、商品紹介コメント等を動画によるビデオメッセージとすることができ、ギフトブック自体を、受取人にとって印象強い唯一無二の贈り物とすることができる。
【００７９】
また、第２実施形態によれば、生成手段としてのギフトブックデータ生成部５０ｂが上記リンク情報に係る２次元コードを生成し、当該２次元コードをギフトブックデータに含める。従って、ＱＲコード（登録商標）等を用いてギフトブックの情報量を抑制し、シンプルで美しいデザインとすることができる。
【００８０】
また、第２実施形態によれば、著作権の使用許諾に係る確認を行う著作権確認部５０ｉを更に有し、商品に係る画像データとして、ユーザが任意に選択した画像データを掲載する場合には、当該画像データの著作権者に対して、掲載に係る許諾の確認のための電子メールを送信する。従って、無許可の不正使用を未然防止することができる。
【００８１】
以上、本発明の一実施形態について説明したが、本発明はこれに限定されることなくその趣旨を逸脱しない範囲で種々の改良・変更が可能である。例えば、ギフトブックに掲載する商品の画像やコメントは、ギフトブック作成支援サーバ装置で保持している情報に限られず、ユーザが任意でアップロードした画像等を掲載することもできる。また、結婚記念日や母の日等、指定した日付に毎年プレゼントを送付するユーザに対しては、事前にコメント入力を促す案内をする予約機能を備えてもよい。
【符号の説明】
【００８２】
１…贈り主端末、２…ギフトブック作成支援サーバ装置、３…ギフトブック印刷サービスシステム、４…受取人端末、５…商品提供サービスサーバ装置、６…ネットワーク、７…ギフトブック作成支援サーバ装置、１０…制御部、１０ａ…主制御部、１０ｂ…ギフトブックデータ生成部、１０ｃ…伝達部、１０ｄ…ユーザ管理部、１１…制御プログラム、１２…記憶部、１３…通信部、１４…ギフトブックＤＢ、１５…商品ＤＢ、１６…ユーザＤＢ、２０…制御部、２０ａ…主制御部、２０ｂ…ブラウザ部、２０ｃ…表示制御部、２１…記憶部、２２…通信部、２３…表示部、２４…操作部、５０…制御プログラム、５０ａ…主制御部、５０ｂ…ギフトブックデータ生成部、５０ｃ…伝達部、５０ｄ…ユーザ管理部、５０ｅ…リンク情報処理部、５０ｆ…ランキング算定部、５０ｇ…ギフトブック編集部、５０ｈ…リンク情報生成部、５０ｉ…著作権確認部、５１…リンク先情報ＤＢ。
【図１】
2016149116.tif 000003
【図２】
2016149116.tif 000004
【図３】
2016149116.tif 000005
【図４】
2016149116.tif 000006
【図５】
2016149116.tif 000007
【図６】
2016149116.tif 000008
【図７】
2016149116.tif 000009
【図８】
2016149116.tif 000010
【図９】
2016149116.tif 000011
【図１０】
2016149116.tif 000012